【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
プログラムであって、ユーザ機器（ＵＥ）による実行に応答して、前記ＵＥに、
デュアルコネクティビティに対する電力ヘッドルーム（ＰＨＲ）情報に関連付けられた媒体アクセス制御制御要素（ＭＡＣ制御要素）を生成する手順であって、前記ＭＡＣ制御要素は、マスタセルグループの第１の無線プライマリセル（第１の無線ＰＣｅｌｌ）に関連付けられたＰＨＲ値を含む、前記マスタセルグループに関連付けられた１または複数の第１のオクテットと、セカンダリセルグループの第２の無線ＰＣｅｌｌに関連付けられたＰＨＲ値を含む、前記セカンダリセルグループに関連付けられた１または複数の第２のオクテットと、を有する、手順と、
前記ＵＥの送信回路に、前記ＭＡＣ制御要素を１又は複数の進化型ノードＢに送信させる手順とを実行させる
プログラム。
【請求項２】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項１に記載のプログラム。
【請求項３】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項２に記載のプログラム。
【請求項４】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項１から３のいずれか一項に記載のプログラム。
【請求項５】
前記プログラムは、さらに、前記ＵＥに、
前記ＭＡＣ制御要素の送信の時間を特定すべく、１より多い周期ＰＨＲタイマを監視する手順を実行させる
請求項１から４のいずれか一項に記載のプログラム。
【請求項６】
進化型ノードＢ（ｅＮＢ）に含まれる装置であって、前記装置は、
送信回路と、
前記送信回路に連結されたプロセッサ回路とを備え、
前記プロセッサ回路は、
デュアルコネクティビティに対するＰＨＲ情報の送信の時間を特定すべく、ユーザ機器（ＵＥ）により使用される１より多い周期電力ヘッドルームタイマ（周期電力ＰＨＲタイマ）のうちの少なくとも１つに対応する少なくとも１つの期間を決定する手順と、
前記送信回路に、前記少なくとも１つの期間に基づいて、少なくとも１つの値を含む信号を前記ＵＥに送信させる手順と、
前記信号の送信に応答して、媒体アクセス制御制御要素（ＭＡＣ制御要素）を含む受信した通信を特定する手順であって、前記ＭＡＣ制御要素は、前記ｅＮＢに対応するマスタセルグループの第１の無線プライマリセル（第１の無線ＰＣｅｌｌ）に関連付けられたＰＨＲ値を含む、前記マスタセルグループに関連付けられた１または複数の第１のオクテットと、遠隔のｅＮＢに対応するセカンダリセルグループの第２の無線プライマリセル（第２の無線ＰＣｅｌｌ）に関連付けられたＰＨＲ値を含む、前記セカンダリセルグループに関連付けられた１または複数の第２のオクテットと、を含む、手順とを実行する
装置。
【請求項７】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項６に記載の装置。
【請求項８】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項７に記載の装置。
【請求項９】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項７に記載の装置。
【請求項１０】
前記プロセッサ回路は、前記送信回路に、前記ＰＨＲ値のうちの少なくとも１つを、Ｘ２インターフェースを介して前記遠隔のｅＮＢに送信させる
請求項６から９のいずれか一項に記載の装置。
【請求項１１】
前記プロセッサ回路は、前記１より多い周期電力ＰＨＲタイマのうちの前記少なくとも１つに対応する少なくとも１つのパスロス閾値を決定し、
前記信号は、前記少なくとも１つのパスロス閾値を含む
請求項６から１０のいずれか一項に記載の装置。
【請求項１２】
前記プロセッサ回路は、前記ＰＨＲ情報の前記送信を制御すべく、情報エレメントを生成し、前記送信回路に、前記情報エレメントの生成に応答して前記信号を送信させる
請求項６から１１のいずれか一項に記載の装置。
【請求項１３】
前記情報エレメントは、前記マスタセルグループに関連付けられられた周期ＰＨＲタイマフィールドと、前記セカンダリセルグループに関連付けられたＰＨＲタイマフィールドと、前記マスタセルグループに関連付けられた禁止タイマフィールドと、前記セカンダリセルグループに関連付けられた禁止タイマフィールドとを含むＭＡＣ−ＭａｉｎＣｏｎｆｉｇ情報エレメントを有する
請求項１２に記載の装置。
【請求項１４】
前記情報エレメントは、マスタセルグループパスロス変化フィールド、および、セカンダリセルグループパスロス変化フィールドを有する
請求項１３に記載の装置。
【請求項１５】
ユーザ機器（ＵＥ）に含まれる装置であって、
前記装置は、
送信回路と、
前記送信回路に連結されたプロセッサ回路とを備え、前記プロセッサ回路は、マスタセルグループの第１のｅＮＢによって提供された第１の無線プライマリセル（第１の無線ＰＣｅｌｌ）上と、セカンダリセルグループの第２のｅＮＢによって提供された第２の無線ＰＣｅｌｌ上とで同時に動作し、
前記第１の無線ＰＣｅｌｌに関連付けられた電力ヘッドルーム値（ＰＨＲ値）と、前記第２の無線ＰＣｅｌｌに関連付けられたＰＨＲ値とを計算し、
前記プロセッサ回路は、媒体アクセス制御制御要素（ＭＡＣ制御要素）を生成し、
前記ＭＡＣ制御要素は、
前記第１の無線ＰＣｅｌｌに関連付けられた前記ＰＨＲ値を含む１または複数の第１のオクテットと、前記第２の無線ＰＣｅｌｌに関連付けられた前記ＰＨＲ値を含む１または複数の第２のオクテットと、を有し、
前記プロセッサ回路は、前記送信回路に、前記ＭＡＣ制御要素を、前記第１のｅＮＢおよび第２のｅＮＢのうちの少なくとも１つに送信させる
装置。
【請求項１６】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項１５に記載の装置。
【請求項１７】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項１６に記載の装置。
【請求項１８】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項１５から１７のいずれか一項に記載の装置。
【請求項１９】
前記プロセッサ回路は、前記ＭＡＣ制御要素の送信の時間を特定すべく、１より多い周期ＰＨＲタイマを監視する
請求項１５から１８のいずれか一項に記載の装置。
【請求項２０】
前記プロセッサ回路は、前記送信回路に、前記ＭＡＣ制御要素を、前記第１のｅＮＢへ送信させる
請求項１５から１９のいずれか一項に記載の装置。
【請求項２１】
前記プロセッサ回路は、前記送信回路に、前記ＭＡＣ制御要素を、前記第２のｅＮＢへ送信させる
請求項１５から２０のいずれか一項に記載の装置。
【請求項２２】
プログラムであって、プロセッサによる実行に応答して、前記プロセッサに、
デュアルコネクティビティに対するＰＨＲ情報の送信の時間を特定すべく、ユーザ機器（ＵＥ）により使用される１より多い周期電力ヘッドルームタイマ（周期電力ＰＨＲタイマ）のうちの少なくとも１つに対応する少なくとも１つの期間を決定する手順と、
送信回路に、前記少なくとも１つの期間に基づいて、少なくとも１つの値を含む信号を前記ＵＥへ送信させる手順と、
前記信号の送信に応答して、媒体アクセス制御制御要素（ＭＡＣ制御要素）を含む受信した通信を特定する手順であって、前記ＭＡＣ制御要素は、第１の進化型ノードＢ（第１のｅＮＢ）に対応するマスタセルグループの第１の無線プライマリセル（第１の無線ＰＣｅｌｌ）に関連付けられたＰＨＲ値を含む、前記マスタセルグループに関連付けられた１または複数の第１のオクテットと、異なる第２のｅＮＢに対応するセカンダリセルグループの第２の無線プライマリセル（第２の無線ＰＣｅｌｌ）に関連付けられたＰＨＲ値を含む、前記セカンダリセルグループに関連付けられた１または複数の第２のオクテットと、を含む、手順とを実行させる
プログラム。
【請求項２３】
前記１または複数の第１のオクテットは、第１の物理アップリンク制御チャネル送信電力（第１のＰＵＣＣＨ送信電力）に基づいて前記第１の無線ＰＣｅｌｌに関連付けられた前記ＰＨＲ値を示す第１のタイプ２ＰＨＲフィールドを含み、
前記１または複数の第２のオクテットは、第２のＰＵＣＣＨ送信電力に基づいて前記第２の無線ＰＣｅｌｌに関連付けられた前記ＰＨＲ値を示す第２のタイプ２ＰＨＲフィールドを含む、
請求項２２に記載のプログラム。
【請求項２４】
前記１または複数の第１のオクテットは、第１の物理アップリンク共有チャネル送信電力（第１のＰＵＳＣＨ送信電力）に基づいて前記第１の無線ＰＣｅｌｌに関連付けられた前記ＰＨＲ値を示す第１のタイプ１ＰＨＲフィールドを含み、
前記１または複数の第２のオクテットは、第２のＰＵＳＣＨ送信電力に基づいて前記第２の無線ＰＣｅｌｌに関連付けられた前記ＰＨＲ値を示すタイプ１ＰＨＲフィールドを含む、
請求項２３に記載のプログラム。
【請求項２５】
前記１または複数の第１のオクテットは、前記第１の無線ＰＣｅｌｌの最大出力電力を示す第１のＰＣＭＡＸ，ｃフィールドを含み、
前記１または複数の第２のオクテットは、前記第２の無線ＰＣｅｌｌの最大出力電力を示す第２のＰＣＭＡＸ，ｃフィールドを含む、
請求項２３に記載のプログラム。
【請求項２６】
前記プロセッサに、さらに、前記ＰＨＲ値のうちの少なくとも１つを、前記第１のｅＮＢから前記第２のｅＮＢへ、Ｘ２インターフェースを介して送信させる
請求項２２から２５のいずれか一項に記載のプログラム。
【手続補正２】
【補正対象書類名】明細書
【補正対象項目名】発明の名称
【補正方法】変更
【補正の内容】
【発明の名称】プログラムおよび装置